【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
モータベースと、前記モータベースに固定された軸受装置と、を含むステータと、
前記ステータに対して回転自在に支持されるロータと、
を備え、
前記ロータはシャフトと、前記シャフトに固定されたハブと、を含み、
前記軸受装置は、前記シャフトを回転自在にラジアル方向に支持するスリーブと、
貫通孔を有し、前記貫通孔に前記スリーブが挿入されて前記スリーブの外周面と前記貫通孔の内周面とが接着剤により固着されたハウジングと、を含み、
前記スリーブの外周面と前記ハウジングの内周面とのいずれか一方に周方向に延在する周溝を有すると共に、前記スリーブの外周面と前記ハウジングの内周面とのいずれか一方に前記スリーブの軸方向に延在する軸方向溝を有し、
前記接着剤は、前記周溝と前記軸方向溝とに介在していることを特徴とするモータ。
【請求項２】
前記軸方向溝は前記スリーブの軸に平行であることを特徴とする請求項１に記載のモータ。
【請求項３】
前記周溝は、２つ以上形成されていることを特徴とする請求項１または請求項２に記載のモータ。
【請求項４】
前記軸方向溝は、周方向に等間隔に複数設けられていることを特徴とする請求項１から請求項３のいずれか１項に記載のモータ。
【請求項５】
前記周溝は、その内面に周方向の稜線を有する凹凸が形成されていることを特徴とする請求項１から請求項４のいずれか１項に記載のモータ。
【請求項６】
前記軸方向溝は、その内面に前記スリーブの軸に平行な稜線を有する凹凸が形成されていることを特徴とする請求項１から請求項５のいずれか１項に記載のモータ。
【請求項７】
前記周溝は、前記スリーブの外周面に形成され、前記軸方向溝は前記ハウジングの内周面に形成されていることを特徴とする請求項１から請求項６のいずれか１項に記載のモータ。
【請求項８】
前記周溝は、前記ハウジングの内周面に形成され、前記軸方向溝は前記スリーブの外周面に形成されていることを特徴とする請求項１から請求項７のいずれか１項に記載のモータ。
【請求項９】
請求項７または請求項８に記載したモータの組立方法であって、
前記周溝に前記接着剤を塗布する工程と、
前記スリーブを前記ハウジングに前記ハブが設けられる方向から挿入する工程と、
を含み、
前記接着剤は、前記周溝から突出するように塗布されることを特徴とするモータの組立方法。
【請求項１０】
前記周溝に塗布した前記接着剤は毛細管現象により軸方向溝に移動し前記スリーブの軸方向に広がって充填されることを特徴とする請求項９に記載のモータの組立方法。
【請求項１１】
前記スリーブを前記ハウジングに装着する際に、前記スリーブの軸方向の少なくとも１回以上の往復動作を行うようにしたことを特徴とする請求項９または請求項１０に記載のモータの組立方法。
【手続補正２】
【補正対象書類名】明細書
【補正対象項目名】発明の名称
【補正方法】変更
【補正の内容】
【発明の名称】モータおよびモータの組立方法
【手続補正３】
【補正対象書類名】明細書
【補正対象項目名】０００１
【補正方法】変更
【補正の内容】
【０００１】
本発明は、モータおよびモータの組立方法に係り、特に、ディスク駆動装置に搭載されてハードディスクや光ディスクなどのディスク状記録媒体を回転駆動するモータおよびその組立方法に好適に利用できる技術に関する。
【手続補正４】
【補正対象書類名】明細書
【補正対象項目名】００１８
【補正方法】変更
【補正の内容】
【００１８】
そこで、本発明が解決しようとする課題は、ハウジングとスリーブとのＡｘｉａｌ方向及びＣｉｒｃｕｌａｒ方向の接着強度が高く、接着されたハウジング及びスリーブの撓み強度が高いモータおよびモータの組立方法を提供することにある
【手続補正５】
【補正対象書類名】明細書
【補正対象項目名】００１９
【補正方法】変更
【補正の内容】
【００１９】
上記の課題を解決するために、本願発明は手段として次の１）〜１１）の構成を有する。
１）  モータベースと、前記モータベースに固定された軸受装置と、を含むステータと、
前記ステータに対して回転自在に支持されるロータと、
を備え、
前記ロータはシャフトと、前記シャフトに固定されたハブと、を含み、
前記軸受装置は、前記シャフトを回転自在にラジアル方向に支持するスリーブと、
貫通孔を有し、前記貫通孔に前記スリーブが挿入されて前記スリーブの外周面と前記貫通孔の内周面とが接着剤により固着されたハウジングと、を含み、
前記スリーブの外周面と前記ハウジングの内周面とのいずれか一方に周方向に延在する周溝を有すると共に、前記スリーブの外周面と前記ハウジングの内周面とのいずれか一方に前記スリーブの軸方向に延在する軸方向溝を有し、
前記接着剤は、前記周溝と前記軸方向溝とに介在していることを特徴とするモータである。
２）  前記軸方向溝は前記スリーブの軸に平行であることを特徴とする１）に記載のモータである。
３）  前記周溝は、２つ以上形成されていることを特徴とする１）または２）に記載のモータである。
４）  前記軸方向溝は、周方向に等間隔に複数設けられていることを特徴とする１）から３）のいずれか１つに記載のモータである。
５）  前記周溝は、その内面に周方向の稜線を有する凹凸が形成されていることを特徴とする１）から４）のいずれか１つに記載のモータである。
６）  前記軸方向溝は、その内面に前記スリーブの軸に平行な稜線を有する凹凸が形成されていることを特徴とする１）から５）のいずれか１つに記載のモータである。
７）  前記周溝は、前記スリーブの外周面に形成され、前記軸方向溝は前記ハウジングの内周面に形成されていることを特徴とする１）から６）のいずれか１つに記載のモータである。
８）  前記周溝は、前記ハウジングの内周面に形成され、前記軸方向溝は前記スリーブの外周面に形成されていることを特徴とする１）から７）のいずれか１つに記載のモータである。
９）  ７）または８）に記載したモータの組立方法であって、
前記周溝に前記接着剤を塗布する工程と、
前記スリーブを前記ハウジングに前記ハブが設けられる方向から挿入する工程と、
を含み、
前記接着剤は、前記周溝から突出するように塗布されることを特徴とするモータの組立方法である。
１０）  前記周溝に塗布した前記接着剤は毛細管現象により軸方向溝に移動し前記スリーブの軸方向に広がって充填されることを特徴とする９）に記載のモータの組立方法である。
１１）  前記スリーブを前記ハウジングに装着する際に、前記スリーブの軸方向の少なくとも１回以上の往復動作を行うようにしたことを特徴とする９）または１０）に記載のモータの組立方法である。
【手続補正６】
【補正対象書類名】明細書
【補正対象項目名】００３１
【補正方法】変更
【補正の内容】
【００３１】
図３は、スリーブ５の側面図であり、スリーブ５の外周面５ａには、矩形の断面形状を有する２つの周溝５ｂ１，５ｂ２が軸ＣＬ方向に離隔して形成されている。
この矩形の寸法例としては、軸方向幅Ｗ５が０．５ｍｍ，深さｄ５が０．５ｍｍである。
この幅Ｗ５はスリーブ５の外周面５ａの内、ハウジング４の内周面４ａと対向する範囲の軸方向長さＬ５の約６．１％であり、深さｄ５は、ハウジング４の内周面４ａの内径φ４の約０．７％である。
この実施例においては、２つの周溝５ｂ１，５ｂ２の合計幅ＷＴ５は外周面５ａにおけるハウジング４の内周面４ａと対向する範囲の軸方向長さＬ５の１２．２％であり、この値は、１１．８〜１２．６％の範囲にあるのが望ましい。
【手続補正７】
【補正対象書類名】図面
【補正対象項目名】図５
【補正方法】変更
【補正の内容】
【図５】
2008286367.tif 000001
【手続補正８】
【補正対象書類名】図面
【補正対象項目名】図７
【補正方法】変更
【補正の内容】
【図７】
2008286367.tif 000002